(57)【要約】【課題】インプラント本体を通過する光線によって引起されるグレアを防止してユーザーの視界が妨害されることを防止できる、眼球内インプラントを提供する。【解決手段】インプラント本体に取付けられた取付け触覚を持つようにされたインプラント本体を含む、眼球内インプラント。インプラント本体は、ほぼ円柱形の部分、及びほぼ円柱形の部分の端部に取付けられた少なくとも１つの封止部材を含む。眼球内インプラントは、インプラント本体内に取付けられた少なくとも１つのレンズ、及び少なくともほぼ円柱形の部分の外側領域の一部分を覆うアンチ・グレア・コーティング層も含んで、インプラント本体を通過する光線によって引起されるグレアを防止してユーザーの視界が妨害されることを防止するように作動する。【選択図】図１Ａ
2010137053.tif 000002
【特許請求の範囲】
【請求項１】
眼球内インプラントであって、
インプラント本体であって、
ほぼ円柱形の部分、及び
前記ほぼ円柱形の部分の端部に取付けられる、少なくとも１つの封止部材を含んで、かつ、インプラント本体に取付けられた取付触角を持つようにされた、該インプラント本体、
前記インプラント本体内に取付けられた、少なくとも１つのレンズ、並びに、
前記ほぼ円柱形の部分の外側領域の少なくとも一部を覆って、前記インプラント本体を通過する光線によって引起されるグレアを防止してユーザの視界を妨害することを防止するように作動する、アンチ・グレア・コーティング層、
を具備する、眼球内インプラント。
【請求項２】
前記コーティング層は、メタリック層を具備し、前記メタリック層は、前記コーティング層内での渦電流形成を防止するように作動する、複数の溝を含む、請求項1に記載の眼球内インプラント。
【請求項３】
前記コーティング層は、チタンからなる、請求項２に記載の眼球内インプラント。
【請求項４】
前記コーティング層は、不透明である、請求項1に記載の眼球内インプラント。
【請求項５】
前記コーティング層は、スパッタリング工程によって前記ほぼ円柱形の部分に塗布されている、請求項1に記載の眼球内インプラント。
【請求項６】
前記少なくとも１つのレンズは、光学的能力を持つ光学的面を持ち、かつ、前記アンチ・グレア・コーティング層の内側の境界は前記光学面の縁部にある、前記、請求項1に記載の眼球内インプラント。
【請求項７】
前記アンチ・グレア・コーティング層は、前記ほぼ円柱形の部分の外側周縁部を覆って、前記少なくとも１つの封止部材上に伸延する、請求項1に記載の眼球内インプラント。
【請求項８】
インプラント本体、及び少なくとも１つのレンズを具備した、眼球内インプラントであって、
前記インプラント本体は、少なくとも部分的にメタリック・コーティングされ、該コーティング層は、前記インプラント本体の内部に形成されて、かつ、渦電流形成を防止するように作動する、複数の溝を持つ、
眼球内インプラント。
【請求項９】
前記コーティングは、アンチ・グレア・コーティングであって、前記インプラント本体を通過する光線によって引起されるグレアを防止してユーザの視界を妨害することを防止するように作動する、請求項８に記載の眼球内インプラント。
【請求項１０】
前記コーティング層は、チタンからなる、請求項８に記載の眼球内インプラント。
【請求項１１】
前記コーティング層は、不透明である、請求項８に記載の眼球内インプラント。
【請求項１２】
前記コーティング層は、スパッタリング工程によって前記ほぼ円柱形の部分に塗布されている、請求項８に記載の眼球内インプラント。
【請求項１３】
前記少なくとも１つのレンズは、光学的能力を持つ光学的面を持ち、かつ、前記コーティング層の内側の境界は前記光学面の縁部にある、請求項８に記載の眼球内インプラント。
【請求項１４】
前記インプラント本体は、ほぼ円柱形の部分、及び少なくとも１つの封止部材を具備して、前記コーティング層は、前記ほぼ円柱形の部分の外側周縁部を覆って、前記少なくとも１つの封止部材上に伸延する、請求項８に記載の眼球内インプラント。
【発明の詳細な説明】
【技術分野】
【０００１】
本発明は、一般に、オプティカル・インプラントに関し、より具体的には、眼球内インプラント用のアンチ・グレア解決策に関する。
【背景技術】
【０００２】
以下の特許文献１−７が、現在の当該技術分野の状況を表していると思われる。
【先行技術文献】
【特許文献】
【０００３】
【特許文献１】米国特許第５，６２８，７９４号明細書
【特許文献２】米国特許第５，１６９，５９７号明細書
【特許文献３】米国特許第６，６３２，８８７号明細書
【特許文献４】米国特許第６，６１３，０８８号明細書
【特許文献５】米国特許第６，２８０，４７１号明細書
【特許文献６】米国特許公開第２００２／０１４９７４１号明細書
【特許文献７】米国特許公開第２００３／０２２９３０３号明細書
【特許文献８】米国特許出願第１０／４８９，３８８号明細書
【特許文献９】米国特許出願第０９／２２２，３３０号明細書
【特許文献１０】米国特許出願第０９／６７８，５５９号明細書
【特許文献１１】米国特許出願第０９／７２１，９１６号明細書
【発明の概要】
【０００４】
本発明は、インプラント本体に取付けられる取付触覚を持つようにされたインプラント本体を含む、眼球内インプラントの提供を探求するものである。インプラント本体は、ほぼ円柱形の部分、及び、ほぼ円柱形の部分の端部に取付けられた、少なくとも１つの封止部材を含む。さらに、眼球内インプラントは、インプラント本体内に取付けられた少なくとも１つのレンズ、及び、少なくとも部分的にほぼ円柱形の部分の外側領域を覆う、アンチ・グレア・コーティング層も含んで、インプラント本体を通過する光線によって発生するグレアがユーザの視界をぼやかすことを防止するように作動する。あるいは、インプラント本体を通過する光線によって引起されるグレアを防止してユーザの視界を妨害することを防止するように作動するということもできる。
【０００５】
本発明の１つの好適な実施態様によると、コーティング層は、コーティング層内での渦電流（eddy current）の形成を防止するように機能する、複数の長手方向の溝を含むメタリック層を含む。好適には、コーティング層は、チタンから形成されている。
【０００６】
本発明の別の１つの好適な実施態様によると、アンチ・グレア・コーティング層は、不透明である。好適には、コーティング層は、ほぼ円柱形の部分にスパッタリング・プロセスによって塗布される。
【０００７】
本発明のもう１つの別の好適な実施態様によると、少なくとも１つのレンズは、（例えば、屈折、及び／又は回折させる能力などの）光学的能力を持つ光学面を持ち、アンチ・グレア・コーティング層の内側の境界は、光学面の縁部にある。好適には、アンチ・グレア・コーティング層は、ほぼ円柱形の部分の外側の周縁部を覆っており、少なくとも１つの封止部材まで伸延している。
【０００８】
本発明の別の１つの好適な実施態様によると、眼球内インプラントは、インプラント本体、及び少なくとも１つのレンズを含み、インプラント本体は、コーティングに形成された複数の溝を持つメタリック・コーティングの少なくとも部分的に塗布されている。溝は、渦電流の形成を防止するように作動する。
【０００９】
本発明の１つの好適な実施態様によると、コーティングは、インプラント本体を通過する光線によって発生するグレアがユーザの視界を妨害することを防止するように作動する、アンチ・グレア・コーティングである。好適には、コーティング層は、不透明である。
【００１０】
本発明の別の１つの好適な実施態様によると、コーティング層は、スパッタリング工程によってほぼ円柱形の部分に塗布されている。好適には、少なくとも１つのレンズは、光学的能力を持つ光学面を持っており、コーティング層の内側の境界は、光学面の縁部にある。付加的に、あるいは、代替的に、インプラント本体は、ほぼ円柱形の部分、及び少なくとも１つの封止部材を含む。コーティング層は、ほぼ円柱形の部分の外側の周縁部を覆っており、少なくとも１つの封止部材まで伸延している。
【図面の簡単な説明】
【００１１】
本発明は、以下の図面と関連付けて後述の詳細な記載により、より完全に理解されるものと思われる。
【図１Ａ】本発明の代替可能な２つの好適な実施態様の１つによる、製造されて作動する視野を拡げる伸縮式のインプラントの簡略化した断面図である。
【図１Ｂ】本発明の代替可能な２つの好適な実施態様のもう１つによる、製造されて作動する視野を拡げる伸縮式のインプラントの簡略化した断面図である。
【図２】本発明の別の好適な実施態様による、製造されて作動する、かつ、人工視界システムの一部を形成するインプラントの簡略化した部分断面図である。
【図３Ａ】本発明の代替可能な２つの好適な実施態様の１つによって、製造されて作動する眼球内インプラントの簡略化した断面図である。
【図３Ｂ】本発明の代替可能な２つの好適な実施態様のもう１つによって、製造されて作動する眼球内インプラントの簡略化した断面図である。
【図４】本発明の別の好適な実施態様よって、コートされたインプラント本体の簡略化した斜視図である。
【発明を実施するための形態】
【００１２】
本願発明の２つの代替可能な好適な実施態様によって製造され作動するようにされた、視野を拡げる伸縮式のインプラント、簡略化された断面図である、図１Ａ、図２Ａを参照する。
【００１３】
図１Ａ、図１Ｂからわかるように、インプラントは、好適には、触覚取付構造２５４を介して触覚２５２によって支持される、インプラント本体２５０を具備する。インプラント本体２５０は、通常、それぞれ互いに封止される前方の円柱形のハウジング部２５６、及び後方の円柱形のハウジング部２５８、並びに、前方の円柱形のハウジング部２５６を封止する、透明な前方の窓２６０を具備している。通常、インプラント本体２５０は、硝子レーザー溶接（glass laser welding）によって封止される、硝子ハウジング部からなる。
【００１４】
ネガティブ・レンズ２６２は、前方の円柱形のハウジング部２５６内で前方の窓２６０の後ろ側に配置される。拡大レンズ２６４は、二重レンズ、あるいは、接合レンズ（doublet）としてネガティブ・レンズ２５６に固定されて、前方の円柱形のハウジング部２５６内に部分的に位置し、かつ、後方の円柱形のハウジング部２５８内に部分的に位置する。ポジティブ・レンズ２６６は、拡大レンズ２６４の後ろ側に配置されて、インプラント本体２５０の後方の円柱形のハウジング部２５８と係合する封止部材内に取付けられて、後方に面する窓を画定する。
【００１５】
ネガティブ・レンズ２６２とポジティブ・レンズ２６６は、好適には、屈折光学部材及び回折光学部材を含む。ネガティブ・レンズ２６２とポジティブ・レンズ２６６は、通常、オプティカル・コーティングが塗布されている。
【００１６】
液体あるいは気体がインプラントに入り込まないようにするために、インプラント本体２５０の内側がインプラント本体２５０の外側から封止されていることは、本発明の重要な特徴である。屈折を増大させるために、参照番号２７０、２７２、及び２７４で示される、３つのエア・ギャップが備えられていることもまた、本発明の重要な特徴である。軸２８０に対する、レンズ２６４とレンズ２６６との間の接触点２７６の位置精度、及び、レンズ２６２とレンズ２６４との間の周縁接触点２７８の位置精度も、所望のフォーカスを維持するためには重要である。
【００１７】
本発明の好適な実施態様において、レンズ２６４とレンズ２６６とを押付けて保持するために、弾力のあるＯリング２８２あるいは同様の機能を有するその他の部材が、接触点２７６で接触して係合する態様で備えられている。
【００１８】
代替的には、インプラント本体は、単一のシリンダ、あるいは、適切な数の円柱部から形成されることもできる。さらに、適切な如何なる数のレンズの組合せも使用することができる。好適には、触覚２５２は、適切なポリマーから形成され、インプラント本体は、生体適合性硝子２５０から形成され、そして、前方の窓２６０とレンズ２６６は、硝子から形成されて本体２５０と係合する封止部材内でレーザー溶接されることができる。
【００１９】
図１Ａに戻ると、メタリック・アンチ・グレア・コーティング層２９２は、インプラント本体２５０の前方の窓２６０の外側周縁部を覆っていることがわかる。コーティング層２９２は、不透明であるので、透明なインプラント本体２５０を通過する光線がユーザの視界を妨害するグレアを生成することを防止する。
【００２０】
図１Ａの拡大部分からわかるように、コーティング層２９２は、コーティング層２９２内での渦電流の形成を防止するように作動する、複数の長手方向及び径方向の溝２９４を含んでいる。コーティング層２９２は、好適には、チタンからなり、好適には、インプラント本体にスパッタリング工程によって塗布されている。
【００２１】
眼球内インプラント２５０は、光学的な能力を持つ光学的な面を含んでいること、及びコーティング層２９２の内側の境界２９６は、この光学的な面の縁部にあることがわかる。
【００２２】
図１Ｂに戻ると、メタリック・アンチ・グレア・コーティング層３０２は、参照番号３０３で示したように、インプラント本体２５０の外側周縁部を覆っており、前方の窓２６０上まで伸延していることがわかる。コーティング層３０２は、不透明であるので、透明なインプラント本体２５０を通過する光線がユーザの視界を妨害するグレアを生成することを防止する。
【００２３】
図１Ｂの拡大部分からわかるように、コーティング層３０２は、コーティング層３０２内での渦電流の形成を防止するように作動する、複数の（外側周縁部で）長手方向の溝３０４及び／又は複数の（前方の窓上で）径方向の溝３０４を含んでいる。コーティング層３０２は、好適には、チタンからなり、好適には、インプラント本体にスパッタリング工程によって塗布されている。
【００２４】
眼球内インプラント２５０は、光学的な能力を持つ光学的な面を含んでいること、及びコーティング層３０２の部分３０３の境界３０６は、この光学的な面の縁部にあることがわかる。
【００２５】
人工視界システムの部分を形成する、本発明のもう１つの好適な実施態様によって製造されて作動するインプラントの簡略化された部分断面を表す、図２を参照する。
【００２６】
図２は、好適には、ここで引用してその開示を取り込む出願人の特許文献８に記載されているような、人工視界システムの部分を形成する、眼球内インプラント４００を表している。眼球内インプラント４００は、取付触覚４０４を持つ、インプラント本体４０２を含んでいる。前方封止板４０６と後方封止板４０８は、インプラント本体４０２に気密封止されている。後方封止板４０８は、透明である。内部の撮像素子（図示せず）は、好適には、前方封止板４０６の外側面に取付けられる。このタイプのカプセルは、１９９８年１２月２９日に出願されてその後に放棄された「伸縮式眼球内レンズ」と題する特許出願９の分割出願である、２０００年１０月３日に出願された「伸縮式眼球内レンズ」と題する出願人の特許文献１０、及び２０００年１１月２７日に出願された「伸縮式眼球内レンズ」と題する出願人の特許文献１１、に記載されている。これらの開示は、ここで引用してその開示を取り込むものとする。
【００２７】
電子回路、及び、画像データ用のワイヤレス・レシーバを好適には含む電子回路４１２に連結された電子的ディスプレイ４１０を好適には含む表示アセンブリは、好適には、インプラント４００内に配置される。電子回路４１２は、好適には、円柱形状の構造内に配置されて、かつ、ディスプレイ４１０、ここではレンズ４１６として示されている焦点を合わせる光学部材、及びユーザの網膜との間の光路に干渉しないように、ディスプレイ４１０と後方封止板４０８との間の光路の周縁部にある、フレキシブル回路ボード４１４に実装されており、ディスプレイ４１０は、前方封止板４０６にほぼ平行になるように配置されている。焦点を合わせる光学部材は、複数のレンズを具備することもできることは理解されるべきである。
【００２８】
図２からわかるように、メタリック・アンチ・グレア・コーティング層４２２は、参照番号４２３で示しように、インプラント本体４０２の外側周縁部を覆っており、前方封止板４０６上まで伸延している。コーティング層４２２は、不透明であるので、透明なインプラント本体４０２を通過する光線がユーザの視界を妨害するグレア生成することを防止する。
【００２９】
図２の拡大部分からわかるように、コーティング層４２２は、コーティング層４２２内での渦電流の形成を防止するように作動する、複数の長手方向及び径方向の溝４２４を含んでいる。コーティング層４２２は、好適には、チタンからなっており、また、好適には、インプラント本体にスパッタリング工程によって塗布されている。
【００３０】
眼球内インプラント４００は、光学的能力を有する光学的面を含み、また、コーティング層４２２の部分４２３の内側の境界４２６は、光学的面の縁部にある。
【００３１】
本願発明の２つの代替可能な好適な実施態様によって製造されて作動する、眼球内インプラントの簡略化した断面を表す、図３Ａ、図３Ｂを参照する。
【００３２】
図３Ａ、図３Ｂは、人間の眼の中へインプラントするための触覚（図示しない）との接続に適した、テレスコープ５００を表している。テレスコープ５００は、通常、円柱形状をなして、硝子からなる、テレスコープ本体５１２を具備している。代替的には、テレスコープ本体は、ポーラスでない生体適合性のある部材からなるか、あるいは、適切なポーラスでない生体適合性のある部材でコートされたその他の部材からなることもできる。
【００３３】
テレスコープ本体５１２の前区端部５１４、後区端部５１６は、それぞれ、好適には、光学的能力を持たない、窓５１８、窓５２０である。中間窓５１８、５２０は、それぞれ、テレスコープ本体５１２内で、前方レンズ５２２、後方レンズ５２４に取付けられている。好適には、エア・ギャップ５２６、５２８は、それぞれ、レンズ５２２と窓５１８、レンズ５２４と窓５２０との間で規定され、エア・ギャップ５３０は、レンズ５２２とレンズ５２４との間で規定される。
【００３４】
図３Ａに戻ると、メタリック・アンチ・グレア・コーティング層５３２は、テレスコープ本体５１２の前方窓５１８の外側周縁部を覆っていることがわかる。コーティング層５３２は、不透明であり、それ故、透明のテレスコープ本体５１２を通過する光線がグレアを生成してユーザの視界を妨害することを防止する。
【００３５】
図３Ａの拡大部分からわかるように、コーティング層５３２は、コーティング層５３２内の渦電流の形成を防止するように作動する、複数の径方向の溝５３４を含んでいる。コーティング層５３２は、好適には、チタンからなっており、また、好適には、スパッタリング工程によってインプラント本体に塗布されている。
【００３６】
眼球内インプラント５００は、光学的能力を持った光学面を含み、また、コーティング層５３２の内側の境界５３６は、光学面の縁部にあることは理解されるべきである。
【００３７】
図３Ｂを参照すると、メタリック・アンチ・グレア・コーティング層５４２は、テレスコープ本体５１２の外側周縁部を覆っており、それぞれ、参照番号５４３、５４４で示したように、前方窓５１８及び後方窓５２０上まで伸延していることがわかる。コーティング層５４２は、不透明であり、それ故、透明のテレスコープ本体５１２を通過する光線がグレアを生成してユーザの視界を妨害することを防止する。
【００３８】
図３Ｂの拡大部分からわかるように、コーティング層５４２は、コーティング層５４２内の渦電流の形成を防止するように作動する、複数の（部分５４４で）長手方向の溝５４５及び複数の（部分５４３で）径方向の溝５４５を含んでいる。コーティング層５４２は、好適には、チタンからなっており、また、好適には、スパッタリング工程によってインプラント本体に塗布されている。
【００３９】
眼球内インプラント５００は、光学的能力を持った光学面を含み、また、コーティング層５４２の部分５４３の内側の境界５４６は、光学面の縁部にあることは理解されるべきである。
【００４０】
本願発明の別の好適な実施態様によってコートされたインプラント本体を表す簡略化された斜視図である、図４を参照すると、インプラント本体は、図１Ａ−図３Ｂにて上に記載されたタイプであることがわかる。
【００４１】
図４からわかるように、インプラント本体７００は、ほぼ円形の円柱形の構造を有しており、通常、その中に１つあるいはそれ以上のレンズ（図示しない）が配置されている。インプラント本体７００は、通常、前後でレンズ及び／又は窓７０２によって封止されている。
【００４２】
メタリック・アンチ・グレア・コーティング層７１２は、参照番号７１４で示したように、インプラント本体７００の外側周縁部を覆っており、参照番号７１６で示したように、窓あるいはレンズであることができる、インプラント本体７００の前封止部材と後封止部材の上まで伸延している。コーティング層７１２は、不透明であり、それ故、透明のインプラント本体７００を通過する光線がグレアを生成してユーザの視界を妨害することを防止する。コーティング層７１２は、その部分７１４、７１６に沿って伸延して、かつ、コーティング層７１２内の渦電流の生成を防止するように作動する、（部分７１４で）複数の長手方向の溝７１８、（部分７１６で）複数の径方向の溝７１８を含んでいる。コーティング層７１２は、好適には、チタンからなっており、また、好適には、スパッタリング工程によってインプラント本体に塗布されている。
【００４３】
本願発明は上に具体的に示され記載されたものに限定されるものではないことは、当該技術分野の当業者によって理解されるべきである。むしろ、本願発明の範囲は、先行技術ではない本明細書を読んで当該技術分野の当業者が想起する変形態様と設計変更と共に、上に記載された様々な特徴の組合せ及びサブコンビネーションの双方を含むものである。
【図１Ａ】
2010137053.tif 000003
【図１Ｂ】
2010137053.tif 000004
【図２】
2010137053.tif 000005
【図３Ａ】
2010137053.tif 000006
【図３Ｂ】
2010137053.tif 000007
【図４】
2010137053.tif 000008